(57)【特許請求の範囲】
【請求項１】
半導体ウエーハの表面に所定深さの切削溝を形成し、その後切削溝が形成された表面に保護テープを貼着して半導体ウエーハの裏面を研削し、切削溝が表出するまで研削することによって半導体ウエーハが分割されて形成された複数個の半導体素子のピックアップ方法であって、
無数の気孔が表面に形成され弾性による復元力と密着性とで気孔が潰れ負圧が生じた際に吸着力を発生する弾性吸着パッドに、該保護テープが貼着された複数個の半導体素子の研削面を当てがい該弾性吸着パッドに吸引保持せしめる半導体素子保持工程と、
該弾性吸着パッドに複数個の半導体素子を吸引保持した状態で、該半導体素子に貼着されている保護テープを剥離する保護テープ剥離工程と、
複数個の半導体素子を吸引保持した該弾性吸着パッドを所定の温度に加温し、該気孔内の空気を膨張させた状態で、半導体素子をピックアップするピックアップ工程と、を含む、
ことを特徴とする半導体素子のピックアップ方法。
【請求項２】
該半導体素子保持工程は、該保護テープを拡張し半導体素子の互いの間隔を広げる保護テープ拡張工程を含んでいる、請求項１記載の半導体素子のピックアップ方法。
【発明の詳細な説明】
【０００１】
【発明の属する技術分野】
本発明は、半導体ウエーハが所定の切断ラインに沿って分割された個々の半導体素子をピックアップする半導体素子のピックアップ方法に関する。
【０００２】
【従来の技術】
半導体デバイス製造工程においては、略円板形状である半導体ウエーハの表面に格子状に配列された多数の領域にＩＣ、ＬＳＩ等の回路を形成し、該回路が形成された各領域を所定の切断ラインに沿ってダイシングすることにより個々の半導体素子を製造している。半導体素子の放熱性を良好にするためには、半導体素子の厚さをできるだけ薄く形成することが望ましい。また、半導体素子を多数用いる携帯電話、スマートカード、パソコン等の小型化を可能にするためにも、半導体素子の厚さをできるだけ薄く形成することが望ましい。そのため、半導体ウエーハを個々の半導体素子に分割する前に、その裏面を研削して所定の厚さに加工している。また、個々の半導体チップに分割される半導体素子の厚さをより薄く加工できる技術として、半導体ウエーハの裏面を研削する前に半導体ウエーハの表面に所定深さの切削溝を形成し、その後、切削溝が表出するまで半導体ウエーハの裏面を研削することにより個々の半導体素子に分割する所謂先ダイシングと称する加工方法も開発されている。
【０００３】
上記のようにして半導体ウエーハを個々の半導体素子に分割する前に半導体ウエーハにはリングフレームに装着された保護テープが貼着されているので、分割された半導体素子は保護テープの作用によってバラバラにはならず、リングフレームに装着された保護テープに保持されている。個々の半導体素子に分割された複数個の半導体素子は、リングフレームに装着された保護テープに保持されている状態でダイボンダー等のピックアップ工程に送られる。従来ピックアップ工程においては、バックアップホルダーで上記保護テープを吸着しつつ、突き上げピンによって半導体素子を押し上げることにより、半導体素子を保護テープから剥離し、この剥離された半導体素子をコレットによってピックアップして所定のパッケージに収容したり搬送トレイに収容している。
【０００４】
【発明が解決しようとする課題】
而して、上記のようにして薄く形成された半導体素子は、剛性が低下して壊れやすく、上記ピックアップ工程において突き上げピンによる突き上げによって破損する場合があり、歩留りの低下を招くという問題がある。また、上記従来のピックアップ方法では、半導体ウエーハを分割して形成された複数個の半導体素子を一括してピックアップして搬送トレイに移し替えることができる場合でも、一つ一つ半導体素子をピックアップしなければならず、生産性を高めることができないという問題がある。
【０００５】
一方、薄く形成され剛性が低い板状物でも容易に搬送することができるようにするために本出願人は、無数の気孔が表面に形成され弾性による復元力と密着性とで気孔が潰れることによって生ずる負圧力を利用して板状物を吸引保持する弾性吸着パッドを用いたトレーを特開２０００ー２５８８１号、特開２０００ー１５８３３４号として提案した。しかるに、弾性吸着パッドを用いたトレーに板状物を吸引保持した状態で所定の加工工程に搬送された後、その加工工程において弾性吸着パッドから板状物を剥離する際には、弾性吸着パッドにエアーを供給して弾性吸着パッドの表面に形成された気孔内の負圧力を低減させることにより、弾性吸着パッドから板状物を剥離している。しかしながら、上述した弾性吸着パッドにエアーを供給する方法では、弾性吸着パッドの表面に無数に形成された全ての気孔内にエアーを供給することは難しく、弾性吸着パッドには可なりの吸引力が残存している場合があり、板状物が半導体ウエーハや半導体素子のように薄く剛性の低いものにおいては、弾性吸着パッドから剥離する際に板状物が損傷するという問題がある。
【０００６】
本発明は上記事実に鑑みてなされたものであり、その主たる技術課題は、半導体ウエーハを分割して形成された半導体素子を損傷することなくピックアップすることができるとともに、必要に応じて分割された複数個の半導体素子を一括してピックアップすることができる半導体素子のピックアップ方法を提供することにある。
【０００７】
【課題を解決するための手段】
上記主たる技術課題を解決するため、本発明によれば、半導体ウエーハの表面に所定深さの切削溝を形成し、その後切削溝が形成された表面に保護テープを貼着して半導体ウエーハの裏面を研削し、切削溝が表出するまで研削することによって半導体ウエーハが分割されて形成された複数個の半導体素子のピックアップ方法であって、
無数の気孔が表面に形成され弾性による復元力と密着性とで気孔が潰れ負圧が生じた際に吸着力を発生する弾性吸着パッドに、該保護テープが貼着された複数個の半導体素子の研削面を当てがい該弾性吸着パッドに吸引保持せしめる半導体素子保持工程と、
該弾性吸着パッドに複数個の半導体素子を吸引保持した状態で、該半導体素子に貼着されている保護テープを剥離する保護テープ剥離工程と、
複数個の半導体素子を吸引保持した該弾性吸着パッドを所定の温度に加温し、該気孔内の空気を膨張させた状態で、半導体素子をピックアップするピックアップ工程と、を含む、
ことを特徴とする半導体素子のピックアップ方法が提供される。
【０００９】
上記半導体素子保持工程は、上記保護テープを拡張し半導体素子の互いの間隔を広げる保護テープ拡張工程を含んでいることが望ましい。
【００１０】
【発明の実施の形態】
以下、本発明による半導体素子のピックアップ方法の好適な実施形態について、添付図面を参照して詳細に説明する。
【００１１】
本発明による半導体素子のピックアップ方法を実施するために、半導体ウエーハや半導体素子等の板状物を保持するための弾性吸着パッドを用いた板状物保持トレーが用意される。この板状物保持トレーについて、図１乃至図３を参照して説明する。
図示の実施形態における板状物保持トレー２は、円形の基板３と、該基板３の上面に装着される円形の弾性吸着パッド４とからなっている。基板３は、例えばアルミニウムや合成樹脂等の硬質部材からなり、１ｍｍ程度の厚みを有し容易に撓むことがないように構成されている。このように形成された基板３には、上面から下面に貫通する複数個の連通孔３１が設けられている。なお、図示の実施形態において基板３は円形に形成されているが、基板３は吸着保持する板状物の形状に合わせた形状とすることが望ましい。
【００１２】
上記弾性吸着パッド４、例えばアルキルベンゼンスルホン酸等の合成樹脂等からなる弾性を有する部材によって基板３の形状に対応した形状に形成されている。このように形成された弾性吸着パッド４には、図３に拡大して示すように無数の気孔４１が少なくとも表面４０に形成されている。また、弾性吸着パッド４の隣り合う気孔４１と気孔４１との間には、上面から下面に貫通する幅が数十μｍ程度の貫通孔４２が形成されており、この貫通孔４２を通してエアーが流通可能となっている。なお、弾性吸着パッド４の厚さは、被加工物の性質を考慮して決められるが、０．５ｍｍ程度が好ましい。このような弾性吸着パッド４は、例えばダースボンド社から提供されている。上記のように構成された弾性吸着パッド４を上記基板３の上面に適宜の接着剤によって装着することにより、基板３と弾性パッド４とが一体化された板状物保持トレー２を構成することができる。
【００１３】
次に、上述した板状物保持トレー２を用いて、半導体ウエーハが所謂先ダイシングによって個々のペレットに分割された複数個の半導体素子のピックアップ方法について説明する。
所謂先ダイシングによって半導体ウエーハを個々の半導体素子に分割するには、図４に示すようにリングフレーム５に装着された保護テープ６が半導体ウエーハＷに貼着される。このとき、半導体ウエーハＷには、その表面（回路が形成されている面）に所定の切断ラインに沿って所定深さの切削溝を形成されており、この表面に保護テープ６が貼着される。このように、表面に所定深さの切削溝が形成され、かつ、保護テープ６が貼着された半導体ウエーハＷは、研削装置によって裏面が研削され上記切り溝が表出するまで研削されると、複数個の半導体素子Ｔに分割される。なお、分割された個々の半導体素子Ｔは、保護テープ６の作用によってバラバラにはならず、リングフレーム５に装着された保護テープ６に保持されている。
【００１４】
次に、上記のようにして半導体ウエーハＷが分割されリングフレーム５に装着された保護テープ６に保持されている複数個の半導体素子Ｔを、上記板状物保持トレー２の弾性吸着パッド４上に保持せしめる（半導体素子保持工程）。半導体素子Ｔを板状物保持トレー２の弾性吸着パッド４上に保持せしめるために、図示の実施形態においては図５に示す吸着テーブル７が用意される。吸着テーブル７は、円盤状の基台７１と円盤状の吸着保持チャック７２とからなっている。基台７１は、適宜の金属材によって構成され、上方が開放された円形状の凹部７１１と、該凹部７１１と連通して形成された連通路７１２を備えている。なお、連通路７１２が図示しない負圧吸引手段に接続されている。吸着保持チャック７２は、ポーラスセラミック盤によって形成され、上記基台７１に形成された凹部７１１に嵌合されている。
【００１５】
上記のように構成された吸着テーブル７の吸着保持チャック７２上に、上記板状物保持トレー２の基板３を載置する。そして、吸着テーブル７に載置された板状物保持トレー２の弾性吸着パッド４上にリングフレーム５に装着された保護テープ６に保持されている複数個の半導体素子Ｔを載置する。このとき、半導体素子Ｔに分割する際に研削した研削面（裏面）を弾性吸着パッド４の表面に当てがう。そして、連通路７１２に接続されている図示しない負圧吸引手段を作動すると、連通路７１２、凹部７１１、吸着保持チャック７２および基板３に設けられた連通孔３１を通して弾性吸着パッド４に負圧が導入される。この結果、負圧が弾性吸着パッド４に形成された貫通孔４２を通して弾性吸着パッド４の上面に載置された複数個の半導体素子Ｔに作用し、半導体素子Ｔを弾性吸着パッド４に吸着する。このとき、弾性吸着パッド４が圧縮され表面４０に形成された気孔４１が潰れる。この結果、板状物保持トレー２は、基板３に設けられた連通孔３１を通して負圧の導入が解除されても、弾性吸着パッド４が有する弾性による復元力と密着性とによって気孔４１に負圧が生じ、この負圧が吸引力となって半導体素子Ｔの吸着状態を維持する。なお、板状物保持トレー２の弾性吸着パッド４上に半導体素子Ｔを吸着保持せしめるには、弾性吸着パッド４上に半導体素子Ｔを載置した後、半導体素子Ｔを押圧して上記気孔４１を潰すことにより、弾性吸着パッド４に吸着力を生じさせることができる。
【００１６】
上記のようにして、板状物保持トレー２の弾性吸着パッド４上に半導体素子Ｔを吸着保持せしめたならば、上記保護テープ６に紫外線を照射して粘着力を低下させて、保護テープ６を半導体素子Ｔから剥離する（保護テープ剥離工程）。その後、図示しない負圧吸引手段を作動を停止して、吸着テーブル７から板状物保持トレー２を取り外すことにより、図６に示すように弾性吸着パッド４の上面に複数個の半導体素子Ｔが吸着保持された状態が得られる。
【００１７】
次に、上述したように弾性吸着パッド４を用いた板状物保持トレー２に吸着保持された複数個の半導体素子Ｔをピックアップする半導体素子ピックアップ工程について、図７および図８を参照して説明する。
図示の実施形態においては、図７に示す加温テーブル７が用意される。この加温テーブル７は、加温部７０が例えばセラミックス等の絶縁材によって形成されており、この加温部７０に発熱線７１が埋設され、該発熱線７１が接続端子７２を介して図示しない電源に接続されるようになっている。このように構成された加温テーブル７の上面に図８に示すように複数個の半導体素子Ｔを吸着保持した板状物保持トレー２の基板３を載置し、接続端子７２を通じて発熱線７１に通電する。この結果、加温テーブル７の上面が熱せられて、板状物保持トレー２の基板３を介して弾性吸着パッド４が加温される。弾性吸着パッド４が加温されると、気孔４１内に残っている空気が膨張するため、全ての気孔４１に生じていた負圧が解消される。従って、板状物保持トレー２の弾性吸着パッド４上に保持された複数個の半導体素子Ｔは、弾性吸着パッド４から容易に剥離可能な状態となる。なお、弾性吸着パッド４を加温する温度は、気孔４１内に残っている空気が上記負圧が解消する程度に膨張ればよく、本発明等の実験によると半導体素子Ｔの品質に影響を与えない程度の４０°Ｃ乃至６０°Ｃが望ましい。
【００１８】
上記のようにして、弾性吸着パッド４上の複数個の半導体素子Ｔが容易に剥離可能な状態となったならば、図８に示すようにピックアップ装置を構成するコレット８を作動して個々の半導体素子Ｔをピックアップし、所定のパッケージに収容したり搬送トレイに収容する。なお、コレット８は半導体素子Ｔを真空吸着して所要径路を通して搬送することができる周知の形態のものでよい。また、複数個の半導体素子Ｔを一括してピックアップして搬送トレイに移し替えることができる場合には、弾性吸着パッド４上の複数個の半導体素子Ｔが上記のように加温されて全て容易に剥離可能な状態となっているので、吸着保持部の大きいコレット８を用いて、一括してピックアップすることができる。
【００１９】
次に、上述したように弾性吸着パッド４を用いた板状物保持トレー２に吸着保持された半導体素子Ｔを容易に剥離可能な状態にする方法の他の実施形態について図９および図１０を参照して説明する。
図９および図１０に示す実施形態においては、板状物保持トレー２ａに加温手段が配設されている。即ち、基板３ａと該基板３ａの上面に装着される弾性吸着パッド４ａからなる板状物保持トレー２ａは、基板３ａに発熱線５１ａが埋設され、該発熱線７１ａが接続端子７２ａを介して図示しない電源に接続されるようになっている。従って、図１０に示すように弾性吸着パッド４ａに複数個の半導体素子Ｔ吸着保持した状態で、ピックアップ装置を構成する所定のテーブル上にセットし、接続端子７２ｂを通じて発熱線７１ａに通電することにより、基板３を介して弾性吸着パッド４を加温することができる。この結果、弾性吸着パッド４の気孔４１内に残っている空気が膨張するため、気孔４１に生じていた負圧が解消され、複数個の半導体素子Ｔは弾性吸着パッド４から容易に剥離できる状態となるため、上記のようにコレット８によってピックアップすることができる。
なお、図９および図１０に示す板状物保持トレー２のように、基板３ａに発熱線５１ａを埋設するためには、基板３ａはセラミックス等の絶縁部材によって構成することが望ましく、その厚さも上記図１に示す実施形態より厚く形成する必要がある。
【００２０】
次に、弾性吸着パッド４を加温する手段を上記コレット８に具備せしめた例について、図１１を参照して説明する。
図８に示す実施形態におけるコレット８は、中心部に設けられ温気体を供給する手段に接続された気体通路８１と、該気体通路８１の外周側に設けられ負圧吸引手段に接続された負圧通路８２とを備えている。このように構成されたコレット８を用いて弾性吸着パッド４に吸着保持された複数個の半導体素子Ｔをピックアップするには、コレット８をピックアップすべき半導体素子Ｔの上方に移動して気体通路８１から温気体を噴出せしめ、弾性吸着パッド４の該ピックアップすべき半導体素子Ｔ部を加温する。この結果、弾性吸着パッド４の加温された部分の気孔４１内に残っている空気が膨張するため、気孔４１に生じていた負圧が解消され、ピックアップすべき半導体素子Ｔは弾性吸着パッド４から容易に剥離できる状態となる。この状態で温気体を噴出を停止し、コレット８をピックアップすべき半導体素子Ｔに接触させるとともに負圧吸引手段作動することにより、負圧通路８２に負圧が導入されてコレット８にピックアップすべき半導体素子Ｔを吸引してピックアップすることができる。
【００２１】
次に、上記半導体素子保持工程、即ち半導体ウエーハＷが分割されリングフレーム５に装着された保護テープ６に保持されている複数個の半導体素子Ｔを、板状物保持トレー２の弾性吸着パッド４上に保持せしめる工程の他の実施形態について、図１２を参照して説明する。
この実施形態においては、図１２の（ａ）で示すように半導体ウエーハが分割されて形成された複数個の半導体素子Ｔがリングフレーム５に装着された保護テープ６に保持されている状態で、保護テープ６を拡張する保護テープ拡張工程を含んでいる。この保護テープ拡張工程の一実施形態について、図１２の（ｂ）を参照して説明する。図１２の（ｂ）に示す実施形態においては、拡張治具１０が用意される。図示の拡張治具１０は、内側リング１１と外側リング１２とからなっている。内側リング１１は、装着部１１１と、該装着部１１１に下端から径方向外側に突出して形成された鍔部１１２を有している。外側リング１２は、上記内側リング１１の装着部１１１の外形より僅かに大きい内径を有している。このように構成された拡張治具１０を用いて保護テープ拡張工程を実施するには、内側リング１１の上面に図１２の（ａ）で示すリングフレーム５に装着された保護テープ６を載置する。このとき、保護テープ６に保持されている複数個の半導体素子Ｔは、内側リング１１内に位置付けられる。この状態で外側リング１２を上側から内側リング１１の装着部１１１に嵌合することにより、図１２の（ｂ）に示すように保護テープ６を拡張しつつ装着部１１１と外側リング１２の内周面との間に挟持する。この結果、保護テープ６が拡張されるため、保護テープ６に保持されている複数個の半導体素子Ｔは、互いの間隔が広がる。このように、保護テープ６が拡張され複数個の半導体素子Ｔの互いの間隔が広げられた状態で、図１２の（ｃ）に示すように複数個の半導体素子Ｔを板状物保持トレー２の弾性吸着パッド４に保持せしめる。この複数個の半導体素子Ｔを板状物保持トレー２の弾性吸着パッド４に保持せしめる半導体素子保持工程および保護テープ６を剥離する保護テープ剥離工程は、上述した各工程と同様でよい。
【００２２】
図１２に示す半導体素子保持工程によれば、図１２の（ｂ）に示す保護テープ拡張工程を含んでいるので、板状物保持トレー２の弾性吸着パッド４に保持せしめられる複数個の半導体素子Ｔは、互いの間隔が広がる。従って、半導体素子Ｔをピックアップする際に、半導体素子Ｔ同士が接触することはなく、半導体素子Ｔ同士が接触することによる損傷を未然に防止することができる。
【００２３】
【発明の効果】
本発明に係る半導体素子のピックアップ方法は以上のように構成されているで、次の作用効果を奏する。
【００２４】
即ち、本発明によれば、無数の気孔が表面に形成され弾性による復元力と密着性とで気孔が潰れ負圧が生じた際に吸着力を発生する弾性吸着パッドに、分割された複数個の半導体素子を吸引保持せしめる半導体素子保持工程と、複数個の半導体素子を吸引保持した弾性吸着パッドを所定の温度に加温し、該気孔内の空気を膨張させた状態で、半導体素子をピックアップする半導体素子ピックアップ工程とを含んでいるので、弾性吸着パッドに保持された複数個の半導体素子を無理なく容易にピックアップすることができる。従って、弾性吸着パッドに保持された複数個の半導体素子Ｔをピックアップする際に生ずる損傷を防止することができる。また、複数個の半導体素子を一括してピックアップして搬送トレイに移し替えることができる場合には、弾性吸着パッド全体を加温して複数個の半導体素子の全てを容易に剥離可能な状態とすることにより、ピックアップ装置の保持部に大きいものを用いて、一括してピックアップすることができる。更に、本発明によれば、半導体素子保持工程に複数個の半導体素子に貼着された保護テープを拡張する保護テープ拡張工程を含んでいるので、弾性吸着パッドに保持せしめられる複数個の半導体素子は、互いの間隔が広がる。従って、半導体素子をピックアップする際に、半導体素子Ｔ同士が接触することはなく、半導体素子Ｔ同士が接触することによる損傷を未然に防止することができる。
【図面の簡単な説明】
【図１】弾性吸着パッドを用いた板状物保持トレーの斜視図。
【図２】図１に示す板状物保持トレーの構成部材を分解して示す分解斜視図。
【図３】図３に示す板状物保持トレーを構成する弾性吸着パッドの拡大断面図。
【図４】リングフレームに装着された保護テープに保持されている半導体ウエーハが分割されて複数個の半導体素子に形成された状態を示す斜視図。
【図５】図１に示す板状物保持トレーの弾性吸着パッドに保護テープに保持されている複数個の半導体素子を保持せしめる工程を示す説明図。
【図６】図１に示す板状物保持トレーの弾性吸着パッドに複数個の半導体素子を保持せしめた状態を示す斜視図。
【図７】本発明によるピックアップ方法を実施するための加温手段としての加温テーブルを示す斜視図。
【図８】図７に示す加温テーブルに載置された板状物保持トレーの弾性吸着パッドに保持されている複数個の半導体素子をピックアップする工程を示す斜視図。
【図９】本発明によるピックアップ方法を実施するための板状物保持トレーの他の実施形態を示す分解斜視図。
【図１０】図９に示す板状物保持トレーに板状物を吸着保持した状態を示す斜視図。
【図１１】本発明によるピックアップ方法を実施するためのコレットの他の実施形態を示す要部を破断して示す斜視図。
【図１２】本発明によるピックアップ方法における保持工程の他の実施形態を示す説明図。
【符号の説明】
２：板状物保持トレー
３：板状物保持トレーの基板
３１：連通孔
４：板状物保持トレーの弾性吸着パッド
４１：気孔
４２：貫通孔
５：リングフレーム
６：保護テープ
７：加温テーブル
７０：加温テーブルの加温部
７１：発熱線
７２：接続端子
７ａ：板状物保持トレー
７ａ：板状物保持トレーの基板
７ａ：板状物保持トレーの弾性吸着パッド
７１ａ：発熱線
７２ｂ：接続端子
８：コレット
８１：気体通路
８２：負圧通路
１０：拡張治具
１１：内側リング
１２：外側リング
Ｗ：板状物
Ｔ：半導体素子
【図１】
0004546626.tif 000002
【図２】
0004546626.tif 000003
【図３】
0004546626.tif 000004
【図４】
0004546626.tif 000005
【図５】
0004546626.tif 000006
【図６】
0004546626.tif 000007
【図７】
0004546626.tif 000008
【図８】
0004546626.tif 000009
【図９】
0004546626.tif 000010
【図１０】
0004546626.tif 000011
【図１１】
0004546626.tif 000012
【図１２】
0004546626.tif 000013